(57)【要約】【課題】カーナビゲーション装置に既に入力されているデータを、携帯情報端末へ送信する際、携帯情報端末のデータの上書きをナビゲーション装置側で一括して行うこと。【解決手段】ナビゲーション装置１０は、携帯情報端末３０から送信される氏名、住所、電話番号等のデータを送受信部２１にて受信し、このデータにより目的地を設定する。この時取得した位置情報を携帯情報端末３０から受信した住所データに付加する。このように加工されたデータを携帯情報端末３０へ送信するとき、携帯情報端末３０の全住所データを一括受信し、ナビゲーション装置１０で上書き判定する。上書きが許可された場合、一括受信データを上記加工データで上書きして携帯情報端末３０へ転送する。【選択図】      図１
2005030895.tif 000002
【特許請求の範囲】
【請求項１】
現在位置を検出する検出手段と、
検出された現在位置を地図上に表示する表示モニタと、
地図上の任意の地点をその内部住所データとともに登録する地点登録手段と、
外部の携帯情報端末からの外部住所データを受信して外部検索データとして記憶する受信手段と、
前記外部検索データに基づいて前記内部住所データを参照し、該当地点を前記表示モニタ上に地図表示する表示制御手段と、
前記携帯情報端末から受信した外部住所データに基づいて、送信データを作成するデータ作成手段と、
前記データ作成手段で作成され、送信データ記憶手段へ記憶されているデータを前記携帯情報端末へ送信する送信手段と、
前記送信手段により特定の送信データを送信する時、上書き判定を行うために前記携帯情報端末の全外部住所データをいったん受信し、上書き判定後、前記一括受信した外部住所データを上書きして一括送信データとして前記送信データ記憶手段に記憶する上書き手段とを有し、
前記送信手段は、前記一括送信データを前記携帯情報端末へ送信することを特徴とするナビゲーション装置。
【請求項２】
請求項１に記載のナビゲーション装置において、
前記データ作成手段は、前記携帯情報端末から受信した外部住所データに対して、内部住所データを参照して得られた位置情報を追加して送信データを作成することを特徴とするナビゲーション装置。
【請求項３】
請求項１に記載のナビゲーション装置において、
前記特定の送信データは複数の項目のデータから成り、
前記送信手段により前記特定の送信データを送信する時にどのデータに対して上書きするかを決定する条件（上書き条件）として、少なくとも前記項目のいずれかを設定する上書き条件設定手段と、
設定された上書き条件となる項目について、前記特定の送信データと前記一括受信した外部住所データとを比較して、上書きすべき住所データが前記一括受信データの中に存在するかを判定する判定手段とを備えることを特徴とするナビゲーション装置。
【請求項４】
請求項３に記載のナビゲーション装置において、
前記一括受信した外部住所データの中に上書きすべきデータが存在することが前記判定手段により判定される場合には、前記上書き手段は前記一括受信データを前記特定の送信データで上書きし、上書きすべきデータが存在しない場合には前記特定の送信データを新規登録データとして前記送信データ記憶手段へ記憶することを特徴とするナビゲーション装置。
【発明の詳細な説明】
【０００１】
【発明の属する技術分野】
本発明は、ナビゲーション装置が持つデータを携帯情報端末に送信することで、携帯情報端末でナビゲーション装置が持つデータを利用可能にし、また、携帯情報端末の持つデータを利用して目的地検索を行うことのできるナビゲーション装置に関する。
【０００２】
【従来の技術】
車両位置周辺の道路地図を表示する機能、出発地から目的地までの推奨経路を演算する機能、演算された推奨経路に基づいて経路誘導を行う機能などを兼ね備えたカーナビゲーション装置が知られている。このカーナビゲーション装置では、目的地の名称、住所、電話番号などを特定して目的地を設定する機能を有する。
この機能では、目的地の名称、住所、電話番号などのデータがあらかじめカーナビゲーション装置に格納されており、これら目的地を特定するのに必要な情報以外にもその地点や施設のデータも格納されている。このようなカーナビゲーション装置は特許文献１によって知られている。
【０００３】
一方、個人のスケジュール管理機能、メモ機能、住所録機能、外部機器との通信機能などを兼ね備えた携帯情報端末が、従来の手書きによる手帳に代わり普及しつつある。これまでは、カーナビゲーション装置に格納されている目的地の名称、住所、電話番号、その地点や施設のデータなどを携帯情報端末で利用する場合、ユーザーはカーナビゲーション装置のデータを呼び出し、携帯情報端末に手で入力を行っていた。
【０００４】
また、カーナビゲーション装置から携帯情報端末へのデータ送信時に、携帯情報端末に既にあるデータに上書きを行う場合は、カーナビゲーション装置からデータの送信を行った後に、携帯情報端末の画面で受信したデータを確認し、どのデータに上書きを行うか選択してから上書きを行う必要があった。
カーナビゲーション装置と携帯情報端末の連携については、特許文献２〜５によって知られている。
【０００５】
【特許文献１】
特開２０００−３３７９１７号公報
【特許文献２】
特開平５−２８９９９７号公報
【特許文献３】
特開平７−３１１７３８号公報
【特許文献４】
特開平８−２１０８６８号公報
【特許文献５】
特開平２０００−２９８０３３号公報
【発明が解決しようとする課題】
しかし、カーナビゲーション装置に既に入力されているデータを再度携帯情報端末に手で入力し直す、あるいは携帯情報端末に既に入力されているデータを再度カーナビゲーション装置に手で入力し直す、また、データ上書き時にカーナビゲーション装置と携帯情報端末の両方を操作しなければならないということは煩わしいという問題が生じていた。
【０００６】
本発明は、カーナビゲーション装置に既に入力されているデータを、携帯情報端末へ送信する時、携帯情報端末のデータの上書きをナビゲーション装置側で一括して行うようにしたカーナビゲーション装置を提供する。
【０００７】
【課題を解決するための手段】
（１）  請求項１の発明によるナビゲーション装置は、現在位置を検出する検出手段と、検出された現在位置を地図上に表示する表示モニタと、地図上の任意の地点をその内部住所データとともに登録する地点登録手段と、外部の携帯情報端末からの外部住所データを受信して外部検索データとして記憶する受信手段と、前記外部検索データに基づいて前記内部住所データを参照し、該当地点を前記表示モニタ上に地図表示する表示制御手段と、前記携帯情報端末から受信した外部住所データに基づいて、送信データを作成するデータ作成手段と、前記データ作成手段で作成され、送信データ記憶手段へ記憶されているデータを前記携帯情報端末へ送信する送信手段と、前記送信手段により特定の送信データを送信する時、上書き判定を行うために前記携帯情報端末の全外部住所データをいったん受信し、上書き判定後、前記一括受信した外部住所データを上書きして一括送信データとして前記送信データ記憶手段に記憶する上書き手段とを有し、前記送信手段は、前記一括送信データを前記携帯情報端末へ送信することを特徴とする。
（２）  請求項２の発明は、請求項１に記載のナビゲーション装置において、前記データ作成手段は、前記携帯情報端末から受信した外部住所データに対して、内部住所データを参照して得られた位置情報を追加して送信データを作成することを特徴とする。
（３）  請求項３の発明は、請求項１に記載のナビゲーション装置において、前記特定の送信データは複数の項目のデータから成り、前記送信手段により前記特定の送信データを送信する時にどのデータに対して上書きするかを決定する条件（上書き条件）として、少なくとも前記項目のいずれかを設定する上書き条件設定手段と、設定された上書き条件となる項目について、前記特定の送信データと前記一括受信した外部住所データとを比較して、上書きすべき住所データが前記一括受信データの中に存在するかを判定する判定手段とを備えることを特徴とする。
（４）  請求項４の発明は、請求項３に記載のナビゲーション装置において、前記一括受信した外部住所データの中に上書きすべきデータが存在することが前記判定手段により判定される場合には、前記上書き手段は前記一括受信データを前記特定の送信データで上書きし、上書きすべきデータが存在しない場合には前記特定の送信データを新規登録データとして前記送信データ記憶手段へ記憶することを特徴とする
【０００８】
【発明の実施の形態】
−−−全体の説明−−−
図１は本発明の一実施の形態であるカーナビゲーション装置１０のシステムブロック図である。カーナビゲーション装置１０は、車両の走行に関する情報を提示する機能、具体的には、車両位置周辺の道路地図を表示する機能、出発地から目的地までの推奨経路を演算する機能、演算された推奨経路に基づいて経路誘導を行う機能などを兼ね備えている。いわゆるナビゲーションあるいは道路案内などを行う装置である。
【０００９】
図１において、１１は車両の現在地を検出する現在地検出装置であり、例えば車両の進行方向を検出するジャイロ１１ａ、車速を検出する車速センサ１１ｂ、ＧＰＳ衛星からのＧＰＳ信号を検出するＧＰＳセンサ１１ｃ等からなる。１２は道路地図データおよび住所データを格納する地図記憶メモリであり、道路地図データおよび住所データが格納された記録媒体であるＣＤ−ＲＯＭ１３およびその読み出し装置からなる。記録媒体はＣＤ−ＲＯＭに限定されず、磁気テープやＤＶＤやその他のあらゆる記録媒体であってもよい。地図記憶メモリ１２には、後述するように外部から受信したデータを住所録として記憶する住所録エリアが存在する。
【００１０】
１４は装置全体を制御する制御回路であり、マイクロプロセッサおよびその周辺回路からなる。制御回路１４は、ＲＡＭ１５を作業エリアとしてＲＯＭ１６に格納された制御プログラムを実行して後述する各種の制御を行う。１７は車両の目的地等を入力する各種スイッチを有する入力装置である。なお、本実施の形態では、表示画面内にタッチパネルスイッチを設けている。また、入力装置１７に、カーソル（フォーカス）の移動や画面のスクロールを指示するジョイスティックを設けても良く、入力装置１７をリモコン方式としてもよい。
【００１１】
１８は表示モニタ１９に表示するための画像データを格納する画像メモリであり、この画像データは道路地図描画用データや各種の図形データなどから作成される。画像メモリ１８に格納された画像データは適宜読み出されて表示モニタ１９に表示される。制御回路１４は、表示モニタ１９への表示用信号の出力装置として機能する。
【００１２】
２１は後述する携帯情報端末３０とデータの送受信を行う送受信部であり、赤外線通信により、携帯情報端末３０とデータの送受信を行う。携帯情報端末３０から送信される氏名、住所、電話番号等のデータを、送受信部２１にて受信する。また、カーナビゲーション装置１０の地図記憶メモリ１２およびＣＤ−ＲＯＭ１３に格納されているデータを、送受信部２１から送信する。この送受信部２１による通信手段は赤外線通信に限らず、電波による通信でも良い。また、有線による通信でも良い。
【００１３】
このように構成されるカーナビゲーション装置１０は、現在地検出装置１１により取得した自車位置情報および地図記憶メモリ１２に格納されている道路地図データに基づき各種のナビゲーションを行う。例えば、自車位置近辺の道路地図および自車位置を表示モニタ１９に表示し、経路探索によって得られた経路に沿ってドライバーを誘導する。
【００１４】
図２は、本発明の一実施の形態で使用している携帯情報端末３０のシステムブロック図である。携帯情報端末３０は、個人スケジュール管理機能、メモ機能、住所録のようなデータ管理機能などを兼ね備えている。
【００１５】
図２において、３１は携帯情報端末へ個人スケジュールやデータを入力する入力装置である。キーや表示画面内に設けられたタッチパネルスイッチの他にも、手書き入力認識装置、カーソル（フォーカス）の移動や画面のスクロールを指示するポインティングデバイスを含む。
【００１６】
３２は、データ等を表示する表示モニタである。表示モニタ３２は上述したように入力装置としての機能も有している。３３は入力された内容や、後述の制御回路３４で演算された結果を記憶しておくためのデータ記憶メモリである。データ記憶メモリ３３は、携帯情報端末３０に内蔵の半導体記憶素子の他、携帯情報端末３０から脱着可能な記憶装置であってもよい。
【００１７】
３４は装置全体を制御する制御回路であり、マイクロプロセッサおよびその周辺回路からなる。制御回路３４は、ＲＡＭ３５を作業エリアとしてＲＯＭ３６に格納された制御プログラムを実行して各種の制御を行う。
【００１８】
３７は外部機器とのデータの送受信を行う送受信部であり、赤外線通信により、パーソナルコンピュータや他の携帯情報端末などとデータの送受信を行う。携帯情報端末３０に記憶している氏名、住所、電話番号等のデータを送受信部３７から送信することにより、カーナビゲーション装置１０に転送する。また、カーナビゲーション装置１０から送信された、カーナビゲーション装置１０のデータを、送受信部３７で受信することにより、カーナビゲーション装置の持つデータを、携帯情報端末３０で利用できる。この送受信部３７での通信手段は赤外線通信に限らず、電波による通信でも良い。また、有線による通信でも良い。
【００１９】
上記構成のカーナビゲーション装置１０および携帯情報端末３０においては、携帯情報端末３０に記憶されているデータの中から選択されたデータを、携帯情報端末３０の送受信部３７から送信し、カーナビゲーション装置１０の送受信部２１で受信し、ＲＡＭ１５にいったん記憶する。カーナビゲーション装置１０では制御回路１４にて、携帯情報端末３０から受け取ったデータと地図記憶メモリ１２またはＣＤ−ＲＯＭ１３に格納されたデータとのマッチング処理を行い、新たな登録地点データとして地図記憶メモリ１２に記憶したり、目的地として設定することができる。
【００２０】
また、カーナビゲーション装置１０の持つ名勝地や娯楽施設などの詳細な情報、緯度経度情報（以下  位置情報）などを、カーナビゲーション装置１０の送受信部２１から送信し、携帯情報端末３０の送受信部３７で受信することにより、カーナビゲーション装置１０の持つ様々な情報を携帯情報端末３０で利用することができる。
【００２１】
−−−それぞれの機器の持つデータの説明と対比−−−
図３（ａ），（ｆ），（ｇ）は、携帯情報端末３０の持つ機能の中で、住所録機能におけるデータの項目の一例を表したものである。携帯情報端末３０の初期設定では、よみ（姓）、よみ（名）、姓、名、よみ（会社）、会社名、役職、電話番号（会社）、電話番号（自宅）、電話番号（ＦＡＸ）、電話番号（携帯）、電話番号（その他）、郵便番号、都道府県、市町村、住所、国、カスタム１、カスタム２、カスタム３、カスタム４、コメントの項目がある。また、上記の電話番号の５項目は、ユーザーの設定で、それぞれ他の電話番号の項目名に変更することができる。また、初期設定の電話番号の項目名に変えて、上記以外に、図３（ｂ）に示す、電話番号（代表）、電話番号（ポケベル）の項目名、もしくはＥ−ｍａｉｌと置き換えることが可能である。以下、本実施の形態の説明では、図３（ａ），（ｆ），（ｇ）を外部住所データと呼ぶ。
【００２２】
図３（ｃ）は、携帯情報端末３０からカーナビゲーション装置１０へデータを送信した際に、カーナビゲーション装置１０側で受信可能なデータの項目を表す。よみ（姓）、よみ（名）、姓、名、よみ（会社）、会社名、役職、電話番号（会社）、電話番号（自宅）、電話番号（ＦＡＸ）、電話番号（その他）、郵便番号、都道府県、市町村、住所、国、付加情報の項目である。電話番号に関しては、上記の電話番号の４項目が受信可能であり、電話番号による検索の際に利用する。また、付加情報の項目には、携帯情報端末３０の外部住所データの内、位置情報が付加されている。以下、本実施の形態の説明では、図３（ｃ）を外部検索データと呼ぶ。
【００２３】
上述の外部住所データ、外部検索データに対し、カーナビゲーション装置１０の地図記憶メモリ１２またはＣＤ−ＲＯＭ１３に元々格納されていたデータを内部住所データと呼ぶ。
【００２４】
図３（ａ）と（ｃ）の間の矢印は、携帯情報端末３０から送信されたデータをカーナビゲーション装置１０で受信した場合の、各機器間で送受信される外部住所データと外部検索データとのデータ項目の対比を示す。
【００２５】
図３（ｄ）は、携帯情報端末３０から受信した外部データすなわち外部検索データをもとにカーナビゲーション装置１０で検索を行い、カーナビゲーション装置１０が持つ内部住所データと、外部検索データとを関連づけて、地図記憶メモリ１２の住所録エリアに記憶させたデータの項目を表す。付加情報に関しては、この部分にカーナビゲーション装置１０の内部住所データの内、名勝地や娯楽施設などの詳細な情報、位置情報が付加されている。このように本実施の形態のカーナビゲーション装置１０は、検索した内部住所データを、受信した外部検索データに付加させて住所録に記憶する。以下、本実施の形態の説明では、図３（ｄ）のデータを合成住所データと呼ぶ。
【００２６】
図３（ｅ）は、カーナビゲーション装置１０の持つ内部住所データを携帯情報端末３０へ送信する場合の、送信データ項目を表したものである。分類名、地点名称、電話番号、住所、詳細情報の項目に分類された内部住所データが、カーナビゲーション装置１０から携帯情報端末３０へ送信される。分類名とは例えばファミリーレストラン、動物園、金融機関などの、カーナビゲーション装置１０側であらかじめカテゴライズされているカテゴリーである。地点名称とは例えば特許庁、東京駅、三郷ジャンクションなど、地点としての固有名詞である。また、内部住所データにおける住所の項目は、その項目内部において都道府県、市町村、住所に分かれているため、それぞれの内容を携帯情報端末３０のデータ構造に合致させて送信を行う。詳細情報の項目には、その地点を紹介、解説する情報や位置情報などが含まれている。詳細情報に含まれる地点を紹介、解説する情報とは例えば施設の営業時間や特徴などである。この詳細情報に、地図データや画像が含まれていても良く、この画像が動画であったり音声付きであっても良い。
【００２７】
図３（ｆ）は、先述の通り図３（ａ），（ｇ）と同じ外部住所データである。図３（ｅ）と（ｆ）の間の矢印は、カーナビゲーション装置１０の持つ内部住所データを、カーナビゲーション装置１０から携帯情報端末３０に送信した場合の各機器間で送受信される内部住所データと外部住所データとのデータ項目の対比を示す。カーナビゲーション装置１０の内部住所データの内、名勝地や娯楽施設などの詳細な情報、位置情報などは、携帯情報端末３０のカスタム１の項目に記憶される。このように本実施の形態のカーナビゲーション装置１０は、内部住所データを外部の携帯情報端末３０の住所データ構造に合致するように変換して送信を行う。
【００２８】
図３（ｇ）は、先述の通り図３（ａ）、（ｆ）と同じ外部住所データである。図３（ｄ）と（ｇ）の間の矢印は、カーナビゲーション装置１０の住所録に記憶している合成住所データを、カーナビゲーション装置１０から携帯情報端末３０に送信した場合の各機器間で送受信される合成住所データと外部住所データとのデータ項目の対比を示す。合成住所データの内、付加情報の項目は、携帯情報端末３０のカスタム１の項目に記憶される。このように本実施の形態のカーナビゲーション装置１０では、合成住所データのデータ分類は、携帯情報端末３０の外部住所データのデータ分類に合致している。
【００２９】
なお、地図記憶メモリ１２の住所録エリアには、ユーザーがカーナビゲーション装置１０に手入力で直接住所データを入力することもできる。
【００３０】
−−−携帯情報端末からカーナビゲーションへのデータ受信−−−
本実施の形態のカーナビゲーション装置１０が携帯情報端末３０から外部住所データを受信し、カーナビゲーションの地図記憶メモリへ登録する場合、そしてその外部住所データに基づいて目的地を設定する場合を詳細に説明する。なお、以下の本実施の形態の説明では、本発明に直接関わりのない選択スイッチが選択された場合についての記載は省略する。
【００３１】
−−−フローチャートの説明：携帯情報端末からカーナビゲーションへのデータ転送  →  住所録エリアへの登録−−−
図４、図５は、カーナビゲーション装置１０が、携帯情報端末３０から外部住所データを受信し、その外部住所データを地図記憶メモリ１２内の住所録エリアに登録する場合のフローチャートを示す。図８〜図１６は、図４、図５に示したフローチャートに対応するカーナビゲーション装置の画面について、本実施の形態の説明に必要な最小限の情報を記載した図である。
【００３２】
車両のイグニッションスイッチがＯＮになり、カーナビゲーション装置１０に電源が投入されることで、カーナビゲーション装置１０のＲＯＭ１６に格納されているプログラムが動作を開始する。ステップＳ１０において初期画面の表示をし、ステップＳ２０で準備を行う。準備が終わるとステップＳ３０からステップＳ４０に進み、図８に示す、現在地周辺地図とメニュー画面を表示モニタ１９に表示する。ステップＳ５０において図８に示す表示モニタ１９のメインメニュースイッチ８ｂが押されたと判断されると、ステップＳ６０へ進み、図９に示すメインメニュー画面を表示する。ステップＳ７０において図９に示す表示モニタ１９の住所録スイッチ９ａが押されたと判断されると、ステップＳ８０に進み、図１０に示す住所録のトップ画面を表示する。ステップＳ９０において図１０に示す表示モニタ１９の新規入力スイッチ１０ａが押されたと判断されると、ステップＳ１００へ進み、図１１に示す新規入力画面を表示する。ステップＳ１１０において図１１に示す表示モニタ１９の受信スイッチ１１ａが押されたと判断されると、ステップＳ１２０へ進み、赤外線通信準備を行う。
【００３３】
ステップＳ１２０における赤外線通信準備の際に、何らかの不都合で通信準備ができなかった場合には、ステップＳ１４０で表示モニタ１９の下部に図１６（ｃ）に示すように準備ができていないことを表す表示を行い、ステップＳ１００へ戻る。
【００３４】
赤外線通信準備が完了すると、ステップＳ１５０において図１２に示すデータ待ち受け画面を表示し、ステップＳ１６０において図１２に示す表示モニタ１９の受信スイッチ１２ａが押されたと判断されると、ステップＳ１７０へ進み、受信待機状態となる。
【００３５】
携帯情報端末３０から外部住所データが送信されると（ステップＳ１８０がＹｅｓ）、ステップＳ２００で表示モニタ１９の下部に図１６（ｂ）に示すデータ受信中の表示を行う。また、一定時間、携帯情報端末３０からの送信がなかった場合には（ステップＳ１８０がＮｏ）、ステップＳ１９０で表示モニタ１９の下部に図１６（ｄ）に示すように外部住所データが送られてこないことを表示し、ステップＳ１５０へ戻る。またステップＳ２１０において、携帯情報端末３０からの外部住所データ受信の際に、何らかの不都合が生じたと判定された場合、ステップＳ２２０で表示モニタ１９の下部に図１６（ｅ）に示すようにエラーが発生したことを表示し、ステップＳ１５０へ戻る。ステップＳ２１０においてエラー発生が判定されないときはステップＳ２３０へ進み、表示モニタ１９の下部に図１６（ｆ）に示すように受信が完了したことを表示する。受信したデータはいったんＲＡＭ１５に記憶される。
【００３６】
携帯情報端末３０からの外部住所データ送信が完了し、カーナビゲーション装置１０で受信が完了すると、ステップＳ２４０へ進みデータ受信画面において、受信した外部住所データ、すなわち外部検索データの表示を行う。図１３は、ステップＳ２４０で表示された外部検索データを示す図である。外部検索データの各項目を表示モニタ１９上の該当個所に表示する。外部検索データに存在しない項目がある場合は、表示モニタ１９上の該当個所は空欄となる。また、受信した外部検索データに位置情報が含まれている場合には、カスタム１項目に位置情報が表示される。なお、図１３においては、画面を下方にスクロールすることによりカスタム１項目が表示されることになる。
【００３７】
そして、ステップＳ２５０で図１３に示す表示モニタ１９の登録スイッチ１３ａが押されたと判断されると、ステップＳ２５１へ進み、上書きの対象となる外部検索データが存在するかの確認を行い、ステップＳ２５２において上書き対象が存在すると判断された場合は、ステップＳ２５３にて後述する上書き処理を行いステップＳ２７０へ進む。上書き対象が存在しない場合は、ステップＳ２６０へ進み、ＲＡＭ１５の外部検索データを地図記憶メモリ１２の住所録エリアへ合成住所データとして登録すると同時に、更にステップＳ２７０へ進み、図１４に示す受信データ確認画面を表示する。
【００３８】
また、図１３に示す表示モニタ１９の編集スイッチ１３ｂが押されたと判断されると、受信した外部住所データの変更が可能となる。住所データ変更の際には、住所や電話番号の変更をはじめ、受信した外部住所データに位置情報が含まれていない場合には、地図表示画面にて地図をスクロールさせ、地点を選択することにより、地図スクロール先であるカーソル中心地点を新規位置情報として追記することもできる。既に位置情報が含まれている場合には、同様の操作により、記憶済みの位置情報に新たな位置情報を上書きすることも可能である。また、この処理は、今回説明した外部住所データの受信時だけでなく、登録済みの外部検索データを呼び出して変更する場合についても可能である。
【００３９】
ステップＳ２８０において、図１４に示す表示モニタ１９の戻るスイッチ１４ａが押されたと判断されると、ステップ２９０へ進み、図１５に示す住所一覧画面を表示する。そして、ステップ３００において、図１５に示す表示モニタ１９の戻るスイッチ１５ａが押されたと判断されると、ステップＳ８０へ戻り、携帯情報端末３０から別の外部住所データを受信できるよう、図１１に示す住所録のトップ画面の表示を行う。
【００４０】
以上の説明で携帯情報端末から受信し、登録を行った住所データは、従来のカーナビゲーション装置と同様に、登録を行った住所データを目的地の検索に利用することができる。登録済みの外部検索データを元に目的地検索を行った場合には、目的地として表示モニタ１９に表示された地点のメッシュＩＤ、Ｘ座標、Ｙ座標を内部住所データより取得し、位置情報として、合成住所データの付加情報項目に登録する。この時、既に位置情報が登録済みの場合で、登録済みの位置情報と、検索によって得られた位置情報が異なる場合には、上書き処理を行う。
【００４１】
−−−フローチャートの説明：ステップＳ２５３における上書き処理−−−
ここで、上記説明における、ステップＳ２５３の上書き処理について説明する。
図６は、ステップＳ２５３の上書き処理のフローチャートである。図１７は図６に示したフローチャートに対応するカーナビゲーション装置の画面について、本実施の形態の説明に必要な最小限の情報を記載した図である。
【００４２】
図６のステップＳ２５２において、既にカーナビゲーション装置１０の合成住所データ内に上書き対象データが存在すると判断された場合は、ステップＳ２５４において、図１７に示す表示モニタ１９に上書き確認画面を表示する。ステップＳ２５５において、同じ名前の人が複数いるなど、上書き候補となるデータが複数存在するかを判定し、上書き候補が１件の場合は、ステップＳ２５７へ進む。上書き候補が合成住所内に複数件存在する場合は、図１７における「前のデータ」スイッチ１７ａ、「次のデータ」スイッチ１７ｂにより上書き対象を選択した後、ステップＳ２５７へ進む。ステップＳ２５７において、図１７における「はい」スイッチ１７ｃが押されたと判断されると、ステップＳ２５８にて画面に表示中のデータに今回受信したデータを上書きする。ここで、「いいえ」スイッチ１７ｄが押されたと判断されると、受信データは新規データとして扱われ、ステップＳ２５９にて新規登録処理が行われる。
【００４３】
−−−フローチャートの説明：携帯情報端末からカーナビゲーションへのデータ転送  →  目的地の設定−−−
図２９、図３０は、カーナビゲーション装置１０が、携帯情報端末３０から外部住所データを受信し、その外部住所データに基づいて目的地の設定をする場合のフローチャートを示す。図８〜２０は、図２９、図３０に示したフローチャートに対応するカーナビゲーション装置の画面について、本実施の形態の説明に必要な最小限の情報を記載した図である。
【００４４】
車両のイグニッションスイッチがＯＮになり、カーナビゲーション装置１０に電源が投入されることで、カーナビゲーション装置１０のＲＯＭ１６に格納されているプログラムが動作を開始する。ステップＳ３１０において初期画面の表示をし、ステップＳ３２０で準備を行う。準備が終わるとステップＳ３３０からステップＳ３４０に進み、図８に示す、現在地周辺地図とメニュー画面を表示モニタ１９に表示する。ステップＳ３５０において図８に示す表示モニタ１９の目的地設定スイッチ８ａが押されたと判断されると、ステップＳ３６０へ進み、図１８に示す目的地設定画面を表示する。ステップＳ３７０において図１８に示す表示モニタ１９の受信スイッチ１８ａが押されたと判断されると、ステップＳ３８０へ進み、赤外線通信準備を行う。
【００４５】
ステップＳ３８０における赤外線通信準備の際に、何らかの不都合で通信準備ができなかった場合には、ステップＳ４００で表示モニタ１９の下部に図１６（ｃ）に示すように準備ができていないことを表す表示を行い、ステップＳ３６０へ戻る。
【００４６】
赤外線通信準備が完了すると、ステップＳ４１０において図１２に示すデータ待ち受け画面を表示し、ステップＳ４２０において図１２に示す表示モニタ１９の受信スイッチ１２ａが押されたと判断されると、ステップＳ４３０へ進み、受信待機状態となる。
【００４７】
携帯情報端末３０から外部住所データが送信されると（ステップＳ４４０がＹｅｓ）、ステップＳ４６０で表示モニタ１９の下部に図１６（ｂ）に示すデータ受信中の表示を行う。また、一定時間、携帯情報端末３０からの送信がなかった場合には（ステップＳ４４０がＮｏ）、ステップＳ４５０で表示モニタ１９の下部に図１６（ｄ）に示すように外部住所データが送られてこないことを表示し、ステップＳ４１０へ戻る。またステップＳ４７０において、携帯情報端末３０からの外部住所データ受信の際に、何らかの不都合が生じたと判定された場合、ステップＳ４８０で表示モニタ１９の下部に図１６（ｅ）に示すようにエラーが発生したことを表示し、ステップＳ４１０へ戻る。ステップＳ４７０においてエラー発生が判定されないときはステップＳ４９０へ進み、表示モニタ１９の下部に図１６（ｆ）に示すように受信が完了したことを表示する。受信したデータはいったんＲＡＭ１５に記憶される。
【００４８】
携帯情報端末３０からの外部住所データ送信が完了し、カーナビゲーション装置１０で受信が完了すると、ステップＳ５００へ進みデータ受信画面において、受信した外部住所データ、すなわち外部検索データの表示を行う。図１９は、ステップＳ５００で表示された外部検索データを示す図である。外部検索データの各項目を表示モニタ１９上の該当個所に表示する。外部検索データに存在しない項目がある場合は、表示モニタ１９上の該当個所は空欄となる。また、受信した外部検索データに位置情報が含まれている場合には、カスタム１項目に位置情報が表示される。なお、図１９においては、画面を下方にスクロールすることによりカスタム１項目の内容を確認することができる。
【００４９】
ステップＳ５１０において、ルート検索を行う条件を指定するが、ここでは、図１９に示すように、検索に使用できる外部検索データ項目が複数あるため、ユーザーは、ユーザーの判断で検索項目を選択する必要がある。検索項目は画面をスクロールさせることにより表示し選択することができる。よって、図１９には表示されていない電話番号や、付加情報項目に含まれている場合には位置情報も選択可能である。ここで検索項目を選択後、図１９に示す表示モニタ１９の検索スイッチ１９ａが押されると、ステップＳ５１０において、検索条件の判断がなされ、検索項目と地図記憶メモリ１２もしくはＣＤ−ＲＯＭ１３に格納された内部住所データとのマッチング処理が実行される。マッチングの結果はＲＡＭ１５に展開される。
【００５０】
ステップＳ５００の図１９において、電話番号や位置情報といった目的地を１つに特定できる情報が検索条件として選択された場合には、ステップＳ５８０へ進み、図２０に示す目的地周辺地図を表示する。
【００５１】
ステップＳ５００の図１９において、施設名や住所などが選択された場合は、目的地の候補が複数存在する可能性がある。例えば著名なコンビニエンスストアのように店舗が複数あり目的地が１つに特定できない、あるいは、「東京都千代田区霞ヶ関」と住所が指定され番地が指定されないなど、目的地を１つに特定できない場合がある。このような情報が検索条件として選択された場合には、ステップＳ５２０へ進み候補が複数存在するかの判断がされる。ここで候補が１つしか存在せず、目的地が１つに特定された場合には、ステップＳ５８０へ進み、図２０に示す目的地周辺地図を表示する。しかし、検索条件に合致する目的地候補が複数存在する場合には、ステップＳ５３０における国選択、ステップＳ５４０における都道府県選択、ステップＳ５５０における市町村選択、ステップＳ５６０における施設名選択を行い、ステップＳ５７０において住所確認を行う。これにより、条件の絞込み作業を画面上にて行い、目的地が１つに特定された後に、ステップＳ５８０で図２０に示すように、目的地に該当する内部住所データの周辺地図を表示モニタ１９に表示する。
【００５２】
ステップＳ５８０で、表示モニタ１９に表示された目的地地点のメッシュＩＤ、Ｘ座標、Ｙ座標をステップＳ５８１にて内部住所データより取得し、位置情報として、合成住所データの付加情報項目に登録する。この時、既に位置情報が登録済みの場合は、上書き処理を行う。
【００５３】
ステップＳ５９０において図２０に示す表示モニタ１９のルート検索スイッチ２０ａが押されたと判断されると、ステップＳ６００において目的地までのルート検索が行われ、ステップＳ６１０で目的地までの案内が開始される。
【００５４】
本実施の形態のカーナビゲーション装置１０では、検索を行った結果および表示された地図については、従来のカーナビゲーション装置と同様、新たな登録地点として地図記憶メモリに記憶したり、目的地として設定することができる。
【００５５】
上述した本実施の形態では、携帯情報端末からカーナビゲーションへデータの転送を行い、受信した外部住所データをカーナビゲーションの地図記憶メモリへ登録する方法、また目的地として設定する方法について説明してきた。このようなカーナビゲーション装置１０では、携帯情報端末３０から送信された外部住所データを受信し記憶することができる。この記憶した外部検索データに基づいて、カーナビゲーション装置１０の内部住所データとのマッチングを行うことができる。マッチングの結果、この内部住所データの地図を表示することができ、新たな登録地点として地図記憶メモリ１２に記憶したり、目的地として設定することができる。外部検索データにマッチングした内部住所データを追記し、合成住所データとして記憶することもできる。
【００５６】
−−−カーナビゲーションから携帯情報端末へのデータ送信−−−
本実施の形態のカーナビゲーション装置１０では、カーナビゲーション装置１０の持つ名勝地や娯楽施設などの詳細な情報、さらには位置情報などを携帯情報端末３０へ送信することにより、カーナビゲーション装置１０の持つ様々な情報を携帯情報端末３０で利用することができる。
【００５７】
−−−フローチャートの説明：カーナビゲーションの合成住所データを携帯情報端末へ送信−−−
本実施の形態のカーナビゲーション装置１０が、カーナビゲーション装置１０の持つ住所録エリアの情報を携帯情報端末３０へ送信する場合を詳細に説明する。送信されるデータは、図３（ｄ）に該当する、合成住所データである。
【００５８】
図７は、カーナビゲーション装置１０が、地図記憶メモリ１２の住所録エリアに記憶されている合成住所データまたはユーザーがカーナビゲーション装置１０へ直接入力した住所データを携帯情報端末３０に送信する場合のフローチャートを示す。図８〜２１は、図７に示すフローチャートに対応するカーナビゲーション装置の画面について、本実施の形態の説明に必要な最小限の情報を記載した図である。
【００５９】
図７に示すように、車両のイグニッションスイッチがＯＮになり、カーナビゲーション装置１０に電源が投入されることで、カーナビゲーション装置１０のＲＯＭ１６に格納されているプログラムが動作を開始する。ステップＳ６２０において初期画面の表示をし、ステップＳ６３０で準備を行う。準備が終わるとステップＳ６５０において、図８に示す、現在地周辺地図とメニュー画面を表示モニタ１９に表示する。ステップＳ６６０において図８に示す表示モニタ１９のメインメニュースイッチ８ｂが押されたと判断されると、ステップＳ６７０へ進み、図９に示すメインメニュー画面を表示する。ステップＳ６８０において図９に示す表示モニタ１９の住所録スイッチ９ａが押されたと判断されると、ステップＳ６９０に進み、図１０に示す住所録のトップ画面を表示する。ステップＳ７００において、図１０において、送信したい名前が含まれる任意の行を不図示のスイッチで選択し確定するとステップＳ７１０に進み、図１５に示す選択された行の住所一覧画面を表示する。ステップＳ７２０において、図１５に示す住所一覧から送信したい人を不図示のスイッチで選択し確定すると、ステップＳ７３０において図１４に示す送信データの確認画面が表示モニタ１９に表示される。
【００６０】
ステップＳ７４０において図１４に示す表示モニタ１９の送信スイッチ１４ｂが押されたと判断されると、ステップＳ７５０へ進み、後述するデータの上書き処理を行った後に、ステップＳ７６０へ進み、選択されたデータの赤外線通信による送信を開始する。赤外線通信中は、表示モニタ１９の下部に図２１（ａ）に示すようにデータ送信中を表す表示を行う。このとき送信される合成住所データは、前述したように内部住所データのデータ分類を外部住所データのデータ分類に合致させるように作成されている。またユーザーが直接カーナビゲーション装置１０に入力したデータも、外部住所データのデータ分類に合致している。
【００６１】
ステップＳ７７０において、赤外線通信の際に、エラーが発生したと判断されると、ステップＳ７８０で表示モニタ１９の下部に図２１（ｂ）に示すようにエラーが発生したことを表す表示を行い、ステップＳ７３０へ戻る。
【００６２】
赤外線通信が完了すると、ステップＳ７９０で表示モニタ１９の下部に図２１（ｃ）に示すように完了の表示を行い、ステップＳ８００にて図１４に示す表示モニタ１９の戻るスイッチ１４ａが押されたと判断されると、ステップＳ６９０へ戻り、携帯情報端末３０へ別の合成住所データを送信できるよう、図１１に示す住所録のトップ画面の表示を行う。
【００６３】
−−−フローチャートの説明：カーナビゲーションの内部住所データを携帯情報端末へ送信−−−
本実施の形態のカーナビゲーション装置１０が、カーナビゲーション装置１０の持つ名勝地や娯楽施設などの詳細な情報、位置情報などを携帯情報端末３０へ送信する場合を詳細に説明する。送信されるデータは、図３（ｅ）に該当する、内部住所データである。
【００６４】
図２４は、カーナビゲーション装置１０が、内部住所データを携帯情報端末３０へ送信する場合のフローチャートを示す。図８〜２３は、図２４に示したフローチャートに対応するカーナビゲーション装置の画面について、本実施の形態の説明に必要な最小限の情報を記載した図である。
【００６５】
図２４に示すように、車両のイグニッションスイッチがＯＮになり、カーナビゲーション装置１０に電源が投入されることで、カーナビゲーション装置１０のＲＯＭ１６に格納されているプログラムが動作を開始する。ステップＳ８１０において初期画面の表示をし、ステップＳ８２０で準備を行う。準備が終わるとステップＳ８４０において、図８に示す、現在地周辺地図とメニュー画面を表示モニタ１９に表示する。ステップＳ８５０において図８に示す表示モニタ１９の目的地設定スイッチ８ａが押されたと判断されると、ステップＳ８６０へ進み、図１８に示す目的地設定画面を表示する。ステップＳ８６０において図１８に示す表示モニタ１９の全施設スイッチ１８ｂ、周辺施設スイッチ１８ｃ、最近の目的地１８ｄなどのスイッチが押されるとステップＳ８７０へ進む。ステップＳ８７０において目的地検索がされると、ステップＳ８８０において、図２２に示す施設名称画面が表示される。
【００６６】
ステップＳ８９０において図２２に示す表示モニタ１９の詳細表示スイッチ２２ａが押されたと判断されると、ステップＳ９００へ進み、図２３に示す詳細情報を表示する。
【００６７】
ステップＳ９１０において図２３に示す表示モニタ１９の送信スイッチ２３ａが押されたと判断されると、ステップＳ９２０へ進み、後述するデータの上書き処理を行った後に、ステップＳ９３０へ進み、選択されたデータの赤外線通信による送信を開始する。赤外線通信中は、表示モニタ１９の下部に図２１（ａ）に示すようにデータ送信中を表す表示を行う。送信される内部住所データは、携帯情報端末３０の住所データ構造に合致するように変換される。
【００６８】
ステップＳ９４０において、赤外線通信の際に、エラーが発生したと判断されると、ステップＳ９５０で表示モニタ１９の下部に図２１（ｂ）に示すようにエラーが発生したことを表す表示を行い、ステップＳ９００へ戻る。
【００６９】
赤外線通信が完了すると、ステップＳ９６０で表示モニタ１９の下部に図２１（ｃ）に示すように完了の表示を行い、ステップＳ９７０にて図２３に示す表示モニタ１９の戻るスイッチ２３ｂが押されたと判断されると、ステップＳ９００へ戻る。
【００７０】
−−−フローチャートの説明：ステップＳ７５０、Ｓ９２０における上書き処理−−−
ここで、上記説明における、ステップＳ７５０およびＳ９２０の上書き処理について説明する。
図２５は、ステップＳ７５０およびＳ９２０の上書き処理のフローチャートである。図１６〜図１７、および図２６は図２５に示したフローチャートに対応するカーナビゲーション装置の画面について、本実施の形態の説明に必要な最小限の情報を記載した図である。
【００７１】
図２５において、ステップＳ１０１０において、図２６に示す上書き判定項目選択画面を表示し、この画面にてユーザーが上書きが必要か否かを判断するための項目の指定を行う。
【００７２】
図２６においては、項目間をフォーカスが移動するようになっており、上書き判定に使用したい項目にフォーカスを合わせた状態で、図２６に示す選択スイッチ２６ｃを押すことにより、上書き判定項目として選択される。またこの時、図２６のよみ（姓）に示すように、選択した項目を枠で囲むことにより、選択済みの項目をユーザーが視覚的に判断できるようにする。上書き判定項目は複数指定可能であり、続けて前記操作を繰り返すことにより、上書き判定項目の複数指定を行うことができる。また、複数項目を選択した際には、事前に図２６のＡＮＤ／ＯＲスイッチ２６ｂを使用することにより、選択した項目の関係としてＡＮＤ、ＯＲを切り替えることができる。このとき、現在の条件がＡＮＤなのかＯＲなのかが視覚的に判断できるように、例えばＡＮＤの時は選択項目を赤枠で囲む、ＯＲの時は選択項目を青枠で囲むなどとしても良い。
【００７３】
ステップＳ１０１０において、上書き判定項目の選択が完了し、ステップＳ１０２０において、図２６に示す受信スイッチ２６ａが押されたと判断されると、ステップＳ１０３０にて携帯情報端末に登録されている全ての外部検索データを受信する。受信中はステップＳ１０４０において図１６（ｂ）に示すように受信中であることを表示する。またステップＳ１０５０において、携帯情報端末３０からの外部住所データ受信の際に、何らかの不都合が生じたと判定された場合、ステップＳ１０６０で表示モニタ１９の下部に図１６（ｅ）に示すようにエラーが発生したことを表示し、ステップＳ１０１０へ戻る。ステップＳ１０５０においてエラー発生が判定されないときはステップＳ１０７０へ進み、表示モニタ１９の下部に図１６（ｆ）に示すように受信が完了したことを表示する。受信したデータはいったんＲＡＭ１５に記憶される。
【００７４】
ステップＳ１０８０において前処理ステップＳ１０１０で上書き判定項目が指定されていたかの判断を行う。もし上書き判定項目が何も指定されていなかった場合には、今回の送信データは上書きを行わず、新規登録データとして扱うこととしステップＳ１１５０で新規データとして登録を行う。ステップＳ１０１０にて、上書き判定項目が指定されていた場合には、指定された上書き判定項目について、ステップＳ１０９０においてステップＳ１０３０で受信したデータの中に該当する上書き候補が存在するかを判定する。ここで、受信データ内に上書き対象データが存在しない場合には、今回の送信データは上書きを行わず、新規登録データとして扱うこととし、ステップＳ１１５０で新規データとして登録を行う。ステップＳ１０９０で上書き対象データが存在すると判断された場合には、ステップＳ１１００において、指定した上書き判定項目を条件とした場合に、ステップＳ１０３０で受信したデータの中に該当する上書き候補が複数存在するかを判定する。ここで、上書き候補が１件の場合は、ステップＳ１１２０へ進み、図１７に示す上書き確認画面を表示する。上書き候補が複数件存在する場合は、Ｓ１１１０において、図１７に示す上書き確認画面を表示し、図１７における「前のデータ」スイッチ１７ａ、「次のデータ」スイッチ１７ｂにより上書き対象を選択した後、ステップＳ１１２０へ進む。ステップＳ１１２０において、図１７における「はい」スイッチ１７ｃが押されたと判断されると、ステップＳ１１４０にて図１７に示す画面に表示中のデータに今回送信するデータを上書きする。ここで、「いいえ」スイッチ１７ｄが押されたと判断されると、受信データは新規データとして扱われ、ステップＳ１１５０にて新規登録処理が行われる。
【００７５】
以上に述べたように、本実施の形態においては、携帯情報端末３０にデータを送信する際の上書き処理について、いったんデータをカーナビゲーション装置１０に吸い上げることによって、カーナビゲーション装置１０側で上書き処理を行い、ここで上書き、もしくは新規登録処理が行われたデータを、携帯情報端末への送信対象データとする。したがって、携帯情報端末３０での操作を必要とせず、カーナビゲーション装置１０側で一括して操作することにより、適切なデータ送信を行うことができる。
【００７６】
上述した本実施の形態のカーナビゲーション装置１０では、内部住所データ、合成住所データ、ユーザーがカーナビゲーション装置１０に直接入力した住所データを位置情報と共に携帯情報端末３０へ送信することで、カーナビゲーション装置１０の持つ様々な情報が携帯情報端末３０で利用できる。
【００７７】
−−−本実施の形態の変形例について−−−
上述の実施の形態において、本発明を利用した一般的な実施方法を説明してきたが、以下は一般的な実施方法を元に応用的実施例について説明する。
【００７８】
−−−本実施の形態の変形例１−−−
図２７は、本発明の一実施の形態である最新版住所データを備えたカーナビゲーション装置Ａのデータを、携帯情報端末を介して、旧版の住所データを備えたカーナビゲーション装置Ｂで利用可能とする方法を示したブロック図である。
【００７９】
図２７（ａ）において、４０は図３（ｅ）に示す内部住所データ、あるいは図３（ｄ）に示す合成住所データに最新版住所録データ４１を備えているカーナビゲーション装置Ａであり、４２は携帯情報端末である。また、図２７（ｂ）において、４３は図３（ｅ）に示す内部住所データ、あるいは図３（ｄ）に示す合成住所データに旧版の住所録データ４４を備えているカーナビゲーション装置Ｂである。
【００８０】
まず、第一段階として、図２７（ａ）に示すように、カーナビゲーション装置Ａ４０より、最新版住所録データ４１の中の住所データからカーナビゲーション装置Ｂへ移行したいデータを選択し、携帯情報端末４２へ上述した方法により転送する。この時、転送する住所データは、内部住所データであっても合成住所データであっても良い。
【００８１】
次に第２段階として、図２７（ｂ）に示すように、カーナビゲーション装置Ａ４０より送信した住所録データを備える携帯情報端末４２から、旧版の住所録データ４４を備えるカーナビゲーション装置Ｂへ住所録データを送信する。カーナビゲーション装置Ｂでは、受信した住所録データを図３（ｃ）に示す外部検索データへ上書きもしくは新規登録を行う。これによって、図２７（ｃ）に示すように、カーナビゲーション装置Ｂにおいても、最新版の住所録データが利用可能となる。
【００８２】
本実施例においては、最新版の住所録データを備えるカーナビゲーション装置Ａから、旧版の住所録データを備えるカーナビゲーション装置Ｂへのデータの移行について説明した。次に旧版の住所録データを備えるカーナビゲーション装置Ｂから、最新版の住所録データを備えるカーナビゲーション装置Ａへのデータの移行を行う場合について説明する。通常、最新版の住所録データを旧版の住所録データで上書きすることは考えられないが、ユーザーが誤って古い情報に戻してしまう場合や、ユーザーの事情によりあえて古い情報に戻したい場合などが想定される。この場合、旧版の住所録データを備えるカーナビゲーション装置Ｂから、最新版の住所録データを備えるカーナビゲーション装置Ａへのデータの移行が行われる。しかし、前述したように通常は最新版の住所録データを旧版の住所録データで上書きすることは考えにくいため、無条件に上書き処理を行うことは避けるべきである。
【００８３】
したがって、データの移行を行う際に、送信側と受信側でどちらのデータが新しいかを判別するため、外部住所データ、合成住所データ内にデータのバージョンを識別するための情報を付加する。そして、新しいデータに古いデータが上書きされようとした場合には、画面上に本当に上書きして良いかを確認するメッセージを表示し、本当に上書きして良いのかを利用者に選択させる機能を設けることができる。
【００８４】
以上により、携帯端末に保持した住所録データを、異なる車両に設置されたナビゲーション装置で活用できるため、データの有効活用が可能となり利用者の利便性が向上する。更に、ナビゲーション装置を交換した場合など、交換前のナビゲーション装置にユーザーが登録していたデータを、そのまま新しいナビゲーション装置に移行できるため、わざわざ交換後のナビゲーション装置でデータを入力し直すという手間も省ける。
【００８５】
−−−本実施の形態の変形例２−−−
図２８を参照して変形例について説明する。情報誌などに掲載されたメッシュＩＤや座標値などの位置情報を、携帯情報端末からカーナビゲーション装置に取り込むことにより、情報誌に掲載された店舗やレストランをカーナビゲーション装置で目的地として設定する方法を示したブロック図である。
【００８６】
図２８において、４５はある施設名のメッシュＩＤや座標値を提供する、タウン情報誌や雑誌等であり、４６は掲載されたメッシュＩＤと座標値を示す。そして４７は携帯情報端末であり、４８はカーナビゲーション装置である。
【００８７】
図２８において各種情報誌４５に掲載されている施設名のメッシュＩＤや座標値といった位置情報４６を、携帯情報端末４７に住所録データとして登録、あるいは上書きし、登録した外部住所録データをカーナビゲーション装置４８に送信する。カーナビゲーション装置４８で受信した外部住所データは目的地として設定することができる。ここで、受信した住所データには施設名のメッシュＩＤや座標値といった位置情報しか含まれていないが、これに施設名や住所、電話番号などの情報を付加することにより、地図記憶メモリ１２へ新規登録することもでき、次回以降は呼び出して目的地として設定することが可能となる。
【００８８】
本実施例においては、メッシュＩＤや座標値といった位置情報の提供元は、情報誌や雑誌、新聞、広告等の紙媒体のみならず、インターネット等の電気通信回線や各種記憶媒体により提供されるものであっても良い。
【００８９】
以上のように、各種情報提供媒体によって提供された位置情報を、携帯端末を介してカーナビゲーション装置に取り込むことにより、カーナビゲーションに未登録の施設を目的地として設定することができる。また、各種情報提供媒体によって提供された最新の位置情報をナビゲーションに反映することができ、利用者の手間を省き、利便性向上につなげることができる。
【発明の効果】
以上のように本発明によれば、携帯情報端末に記憶されているデータをカーナビゲーション装置で加工し、さらに携帯情報端末にそのデータを戻す際、携帯情報端末の全住所データをカーナビゲーション装置で一括受信した上で上書き判定を行い転送するようにした。その後、加工後のデータで上書きした一括受信データを携帯情報端末へ転送するようにした。したがって、携帯情報端末で上書き判定などの操作を行う必要がない。
【図面の簡単な説明】
【図１】本発明によるカーナビゲーション装置の本実施の形態のシステムブロック図である
【図２】本発明によるカーナビゲーション装置とデータを送受信することのできる、本実施の形態で使用している携帯情報端末のシステムブロック図である
【図３】本発明によるカーナビゲーション装置と本実施の形態で使用している携帯情報端末との間で送受信されるデータの項目を示した図であり、（ａ），（ｆ），（ｇ）は携帯情報端末の住所録機能のおけるデータ項目の一例、（ｂ）は携帯情報端末の住所録機能のおけるデータ項目のなかで、電話番号の複数の項目で置き換え可能な他の項目名、（ｃ）は携帯情報端末から送信されたデータをカーナビゲーション装置で受信した際の項目名、（ｄ）は携帯情報端末から受信したデータをもとにカーナビゲーション装置で検索を行い、カーナビゲーション装置が持つデータと、携帯情報端末から送信されたデータとを関連づけた、カーナビゲーション装置の記憶しているデータの項目名、（ｅ）はカーナビゲーション装置の持つデータを携帯情報端末に送信する際の項目名であり、項目間の矢印は、各機器間で送受信を行った際のデータ項目の対比を示す
【図４】本発明によるカーナビゲーション装置で、携帯情報端末から住所録データを受信し、カーナビゲーション装置の住所録データに登録する際のフローチャートの前半である
【図５】本発明によるカーナビゲーション装置で、携帯情報端末から住所録データを受信し、カーナビゲーション装置の住所録データに登録する際のフローチャートの後半である
【図６】図５のステップＳ２５３における上書き処理を説明したフローチャートである
【図７】本発明によるカーナビゲーション装置で、カーナビゲーション装置の合成住所データから携帯情報端末へ住所録データを送信する際のフローチャートである
【図８】本発明によるカーナビゲーション装置で、本実施の形態のステップＳ４０、Ｓ３４０、Ｓ６５０、Ｓ８４０における表示画面を表した図である
【図９】本発明によるカーナビゲーション装置で、本実施の形態のステップＳ６０、Ｓ６７０における表示画面を表した図である
【図１０】本発明によるカーナビゲーション装置で、本実施の形態のステップＳ８０、Ｓ６９０における表示画面を表した図である
【図１１】本発明によるカーナビゲーション装置で、本実施の形態のステップＳ１００における表示画面を表した図である
【図１２】本発明によるカーナビゲーション装置で、本実施の形態のステップＳ１５０、Ｓ４１０における表示画面を表した図である
【図１３】本発明によるカーナビゲーション装置で、本実施の形態のステップＳ２４０における表示画面を表した図である
【図１４】本発明によるカーナビゲーション装置で、本実施の形態のステップＳ２７０、Ｓ７３０における表示画面を表した図である
【図１５】本発明によるカーナビゲーション装置で、本実施の形態のステップＳ２９０、Ｓ７１０における表示画面を表した図である
【図１６】本発明によるカーナビゲーション装置で、本実施の形態の表示画面のうち、表示モニタ下部に表示されるアナウンスの内容を表した図であり、（ｂ）はステップＳ２００、Ｓ４６０、Ｓ１０４０における表示モニタ下部に表示されるアナウンスの内容、（ｃ）はステップＳ１４０、Ｓ４００における表示モニタ下部に表示されるアナウンスの内容、（ｄ）はステップＳ１９０、Ｓ４５０における表示モニタ下部に表示されるアナウンスの内容、（ｅ）はステップＳ２２０、Ｓ４８０、Ｓ１０６０における表示モニタ下部に表示されるアナウンスの内容、（ｆ）はステップＳ２３０、Ｓ４９０、Ｓ１０７０における表示モニタ下部に表示されるアナウンスの内容である
【図１７】本発明によるカーナビゲーション装置で、本実施の形態のステップＳ２５４、Ｓ１１２０における表示画面を表した図であり、図１６の表示画面をスクロールしたものである
【図１８】本発明によるカーナビゲーション装置で、本実施の形態のステップＳ３６０、Ｓ８６０における表示画面を表した図である
【図１９】本発明によるカーナビゲーション装置で、本実施の形態のステップＳ５００、Ｓ９００における表示画面を表した図である
【図２０】本発明によるカーナビゲーション装置で、本実施の形態のステップＳ５８０における表示画面を表した図である
【図２１】本発明によるカーナビゲーション装置で、本実施の形態の表示画面のうち、表示モニタ下部に表示されるアナウンスの内容を表した図であり、（ａ）はステップＳ７６０、Ｓ９３０における表示モニタ下部に表示されるアナウンスの内容、（ｂ）はステップＳ７８０、Ｓ９６０における表示モニタ下部に表示されるアナウンスの内容、（ｃ）はステップＳ７９０、Ｓ９５０における表示モニタ下部に表示されるアナウンスの内容である
【図２２】本発明によるカーナビゲーション装置で、本実施の形態のステップＳ８８０における表示画面を表した図であり、図１６の表示画面をスクロールしたものである
【図２３】本発明によるカーナビゲーション装置で、本実施の形態のステップＳ９００における表示画面を表した図であり、図１６の表示画面をスクロールしたものである
【図２４】本発明によるカーナビゲーション装置で、カーナビゲーション装置の内部住所データから携帯情報端末へ住所録データを送信する際のフローチャートである
【図２５】図７のステップＳ７５０、図２４のステップＳ９２０における上書き処理を説明したフローチャートである
【図２６】本発明によるカーナビゲーション装置で、本実施の形態のステップＳ１０１０における表示画面を表した図である
【図２７】本発明によるカーナビゲーション装置で、本実施の形態の変形例１を表したブロック図である
【図２８】本発明によるカーナビゲーション装置で、本実施の形態の変形例２を表したブロック図である
【図２９】本発明によるカーナビゲーション装置で、携帯情報端末からデータを受信し、受信した住所を目的地として設定する際のフローチャートの前半である
【図３０】本発明によるカーナビゲーション装置で、携帯情報端末からデータを受信し、受信した住所を目的地として設定する際のフローチャートの後半である
【符号の説明】
１０、４０、４３、４８    カーナビゲーション装置
１１  現在位置検出装置
１２  地図記憶メモリ
１３  ＣＤ−ＲＯＭ
１４  制御回路
１５  ＲＡＭ
１６  ＲＯＭ
１７  入力装置
１９  表示モニタ
２１  送受信部
３０、４２、４７    携帯情報端末
３７  送受信部
４１  最新版住所録データ
４４  旧版住所録データ
４５  各種情報誌
４６  掲載位置情報
【図１】
2005030895.tif 000003
【図２】
2005030895.tif 000004
【図３】
2005030895.tif 000005
【図４】
2005030895.tif 000006
【図５】
2005030895.tif 000007
【図６】
2005030895.tif 000008
【図７】
2005030895.tif 000009
【図８】
2005030895.tif 000010
【図９】
2005030895.tif 000011
【図１０】
2005030895.tif 000012
【図１１】
2005030895.tif 000013
【図１２】
2005030895.tif 000014
【図１３】
2005030895.tif 000015
【図１４】
2005030895.tif 000016
【図１５】
2005030895.tif 000017
【図１６】
2005030895.tif 000018
【図１７】
2005030895.tif 000019
【図１８】
2005030895.tif 000020
【図１９】
2005030895.tif 000021
【図２０】
2005030895.tif 000022
【図２１】
2005030895.tif 000023
【図２２】
2005030895.tif 000024
【図２３】
2005030895.tif 000025
【図２４】
2005030895.tif 000026
【図２５】
2005030895.tif 000027
【図２６】
2005030895.tif 000028
【図２７】
2005030895.tif 000029
【図２８】
2005030895.tif 000030
【図２９】
2005030895.tif 000031
【図３０】
2005030895.tif 000032